(57)【要約】【課題】多数の小容器を並べて連結して容器を形成し、連結部を切断して容器を変形可能とし、小容器に球根を入れて、プランターや花壇に置き土を被せて栽培可能とし、容器は分解して土になる、植物の寄せ植え用容器を提供する。【解決手段】土中に埋めると分解して土になる材料で、上方が開口した皿状の複数の小容器１３の側部を隣り合わせて配列し、小容器１３の底面に、高さの低い突条１７を設けて底部を複数に仕切り、小容器１３の底面の中央に、突条１７の高さよりも高い突部１８を設け、突条１７で仕切られた各部分の底部に１または複数の植物の根の伸長用兼排水用の穴１２を設け、小容器１３の隣り合わせた側部間の上方、中間または下方のいずれかにおいて、前記側部間の全長にわたり、連続的または断続的に、厚みの薄い連結部１５で連結して寄せ植え用容器１を構成し、連結部１５で切断して所望の小容器を分離可能とする。【選択図】  図７
0003136386.tif 000002
【実用新案登録請求の範囲】
【請求項１】
土中に埋めると分解して土になる材料よりなり、上方が開口した皿状で底部に１または複数の植物の根の伸長用兼排水用の穴を設けた複数の小容器の側部を隣り合わせて配列し、その隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器であって、
前記小容器のそれぞれに球根を入れるか、または、花の苗の根元を入れ、前記小容器を連結した容器を植木鉢やプランタ−に入れるか、または、土地に埋め、その上から土を被せ、前記球根または花の苗を育成することを可能とする、寄せ植え用容器。
【請求項２】
土中に埋めると分解して土になる材料よりなり、上方が開口した皿状で複数の小容器の側部を隣り合わせて配列し、前記小容器の底面に、高さの低い突条を設けて前記小容器の底面を複数に仕切り、その仕切られた各部分の底部に１または複数の植物の根の伸長用兼排水用の穴を設け、前記小容器の隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器であって、
前記小容器の前記突条で仕切られた部分のそれぞれに球根を入れるか、または、花の苗の根元を入れ、前記突条で前記球根または花の苗が片寄るのを防止し、前記小容器を連結した容器を植木鉢やプランタ−に入れるか、または、土地に埋め、その上から土を被せ、前記球根または花の苗を育成することを可能とする、寄せ植え用容器。
【請求項３】
土中に埋めると分解して土になる材料よりなり、上方が開口した皿状の複数の小容器の側部を隣り合わせて配列し、前記小容器の底面に、高さの低い突条を設けて前記小容器の底部を複数に仕切り、前記小容器の底面の中央に、前記突条の高さよりも高く、該小容器の上方開口縁の高さと高さが同じか、または低い突部を設け、前記突条で仕切られた各部分の底部に１または複数の植物の根の伸長用兼排水用の穴を設け、前記小容器の隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器であって、
前記小容器の前記突条で仕切られた部分のそれぞれに球根を入れるか、または、花の苗の根元を入れ、前記突条および突部で前記球根または花の苗が片寄るのを防止し、前記容器を植木鉢やプランタ−に入れるか、または、土地に埋め、その上から土を被せ、前記球根または花の苗を育成することを可能とする、寄せ植え用容器。
【考案の詳細な説明】
【技術分野】
【０００１】
この考案は、土に埋めれば生分解して土になる材料で成形し、一部を切断分離可能な、寄せ植え用容器に関するものである。
【背景技術】
【０００２】
従来、寄せ植え用植木鉢としては、特開平１１−１７８４４９により開示されたものがある。
この植木鉢は、内部を隔壁で内室と外周室の２室に分割し、内室に植物を植えた植木鉢を挿入し、外周室に他の植物を植え、内室の植木鉢または外周室の植物を替えたいときには、その部分の植物だけを取り替えたらよいようにしたものである。
【特許文献１】特開平１１−１７８４４９（０００６、００２０、図５、図７、図８、図１０）
【考案の開示】
【考案が解決しようとする課題】
【０００３】
上記従来の植木鉢は、外周の大きさや形を変えることは出来ない。
内室に挿入する植木鉢は、内室に適合する特別の植木鉢が必要である。
また、外周室に球根や苗を植えるには、その都度その室内における球根や苗の位置を配慮しながら植えなければならない。
更に、従来の上記植木鉢は、土に埋めるものではなく、一般の植木鉢と同様に、土の素焼きやプラスチック等で成形され、使用しても形は変形せず、勿論生分解はしない。
【課題を解決するための手段】
【０００４】
土中に埋めると分解して土になる材料よりなり、上方が開口した皿状で底部に１または複数の植物の根の伸長用兼排水用の穴（以下単に穴という）を設けた複数の小容器の側部を隣り合わせて配列し、その隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器を構成し、
前記小容器のそれぞれに球根を入れるか、または、花の苗の根元を入れ、前記小容器を連結した容器を植木鉢やプランターにいれるか、または、土地に埋め、その上から土を被せ、前記球根または花の苗を育成することを可能とする。
本願において、土にはピートモスやハーミキュライト等植物を育成するための用土を含むものとする。
【０００５】
土中に埋めると分解して土になる材料よりなり、上方が開口した皿状で複数の小容器の側部を隣り合わせて配列し、前記小容器の底面に、高さの低い突条を設けて前記小容器の底面を複数に仕切り、その仕切られた各部分の底部に１または複数の植物の根の伸長用兼排水用の穴を設け、前記小容器の隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器を構成し、
前記小容器の前記突条で仕切られた部分のそれぞれに球根を入れるか、または、花の苗の根元を入れ、前記突条で前記球根または花の苗が片寄るのを防止し、前記小容器を連結した容器を植木鉢やプランター入れるか、または、土地に埋め、その上から土を被せ、前記球根または花の苗を育成することを可能とする。
【０００６】
土中に埋めると分解して土になる材料よりなり、上方が開口した皿状の複数の小容器の側部を隣り合わせて配列し、前記小容器の底面に、高さの低い突条を設けて前記小容器の底部を複数に仕切り、前記小容器の底面の中央に、前記突条の高さよりも高く、該小容器の上方開口縁の高さと高さが同じか、または低い突部を設け、前記突条で仕切られた各部分の底部に１または複数の植物の根の伸長用兼排水用の穴を設け、前記小容器の隣り合わせた側部間の上方、中間または下方のいずれかにおいて、前記側部間の全長にわたり、連続的または断続的に、厚みの薄い連結部で連結してなり、前記連結部で切断して所望の小容器を分離可能な寄せ植え用容器を構成し、
前記小容器の前記突条で仕切られた部分のそれぞれに球根を入れるか、または、花の苗の根元を入れ、前記突条および突部で前記球根または花の苗が片寄るのを防止し、前記容器を植木鉢やプランタ−に入れるか、または、土地に埋め、その上から土を被せ、前記球根または花の苗を育成することを可能とする。
【考案の効果】
【０００７】
寄せ植え用容器（以下単に容器という。）は小容器の集合体であるので、開花時の花の色や草丈を考慮して、球根や花の苗を小容器に入れて、その容器を植木鉢やプランタ−に入れて土を被せるか、花壇に埋めて、灌水し育成するだけで、花の寄せ植え栽培ができる。
園芸業者が、開花時の花の色や草丈を考慮して、球根や花の苗を選んで小容器に入れ、球根や花の苗の根元に土を入れ、または入れないで、パックして販売すれば、園芸愛好家は、それを買って球根等の入った容器を取り出して、それを植木鉢、プランターに入れて土を被せるか、花壇に埋めて、灌水するだけで、花の寄せ植えを楽しむことができる。
【０００８】
容器は、土に埋めれば分解して土になるので、環境に優しい。
【０００９】
容器は、小容器の集合体で、隣合わせる小容器の側部を厚みの薄い連結部で連結しており、所望の箇所の連結部を手または刃物で切断することにより、一部の小容器を分離して容器を小さくしたり、分離した小容器を残りの容器の元の箇所と違う箇所に隣合わせて配置して変形したり、他の容器の分離した小容器を容器に隣合わせて配置して容器を大きくし、植木鉢、プランタ−や花壇の大きさに応じて容器を変形して使用することができる。    
【００１０】
小容器の底部の突条は、小容器の底部を複数に仕切り、仕切られた底部に球根や苗を入れることにより、小容器内で球根や苗が片寄ることなく配置が安定する。
上記突条と共に小容器の底の中央に設けた突部は、小容器に入れた球根や苗の片寄り防止の効果をより高める。
【００１１】
小容器に設けた植物の根の伸長用兼排水用の穴は、小容器に入れた球根や苗の根が伸びたときに、その穴を通過して、容器の下方の土の中に広がり、植物を成長させ、また、小容器の中に水が滞留しないように排水をする。
【考案を実施するための最良の形態】
【００１２】
この考案の実施の形態を図面に基づき説明する。
この考案に係る容器は、次のようにして形成する。すなわち、新聞、雑誌、段ボール、ＯＡ用紙等の古紙を水を入れた容器に浸漬させ、繊維をほぐすようによくかき混ぜる。そして、ノズルの先端に細かな孔のある容器の内面の形状をした網状の型を取り付けた道具の、網状の型とノズルの先端部分を、繊維がほぐされた古紙を含む液体の中に入れ、液体の中のほぐされた古紙を吸引すると、古紙は網状の型に吸着される。古紙を吸着した網状の型を液体より引き上げ、ノズルより空気を吐き出して網状の型より、吸着した古紙を外し、それをガス温風器や赤外線ランプ等加熱器のついたコンベアーの上を流して乾燥させると、容器が形成される。
古紙に限らず、天然の植物繊維を水の中でほぐし、それを乾燥させたものをパルプモウルドという。この考案に係る容器は、古紙を材料とするパルプモウルドに限らず、古紙以外の天然植物繊維よりなるパルプモウルドを材料としてもよい。
なお、パルプモウルドが保管、移動中にその形状を安定させるために必要最低限の撥水性を有するように、古紙を入れてほぐす水の中に、たとえば一般に牛乳パック等に利用されている防水剤を少量添加してもよい。
このバルプモウルドを材料とする容器は、土に埋めると分解して土にかえる。
【００１３】
図１乃至図３に示す容器１は、平面視外郭が八角形のものである。
容器１は、上方が開口し底部に１または複数の穴２を設けた平面視角型の小容器３を５個を十字状に配し、平面視三角形状で上方が開口し底部に１または複数の穴２を設けた小容器４の４個を十字の４つの角のそれぞれに配して全体の小容器３、４で平面視八角形としたものである。それら小容器３、４の隣合わせた側部間の上方、中間または下方のいずれかにおいて、前記側部間の全長にわたり、連続的または断続的に、厚みの薄い連結部５で連結する。
小容器３、４の隣合わせる側部間は、連結部５の箇所を除いて小間隙６を形成する。
【００１４】
この容器１は、次のように使用する。
すなわち、各小容器３、４に開花期の花の色や背丈等を考えて、球根や花の苗の根元を入れ、それらと内壁の間に土を入れた後に、容器１全体を一部土を入れた植木鉢やプランタ−に入れてから上から土を被せるか、花壇等土地の中に埋め、灌水して育成する。
栽培開始より時間の経過とともに、容器１は分解して土になっている。
【００１５】
連結部５は、厚みが薄いので、そこを折り曲げた後に手で切断するか、または、刃物で連結部５を切断し、複数の小容器３、４のうち一部を分離することができる。
容器１の場合には、３個の連続する小容器３の列の両隣の小容器３と小容器４の列を切り離して、前記３個の連続する小容器３の列を、１列用いるか、または、植木鉢やプランタ等の大きさに適合させて複数の容器１から切り離した３個の連続する小容器３の複数の列を隣合わせて用いることができる。
【００１６】
容器１を、３個の連続する小容器３の列の片方の隣の小容器３と小容器４の列を連結部５の箇所で切り離して、切り離した小容器３と小容器４の列を更に小容器３と小容器４とを切り離し、切り離した２つの小容器４のそれぞれを、切り離さなかった小容器４、４のそれぞれに隣接して配置して、全体を平面視矩形にして使用することができる。
切り離したもののうち小容器３の１個は残るが、これは、他の形状を形成するために残しておく。
【００１７】
図４は、上記の切り離し後隣接して配置して矩形形状に形成したものの平面視の略図である。点線で表した三角形状のものが、切断分離し、隣接して配置した小容器４である。  上記の接合において、切断した小容器４は、切断しなかった小容器４に隣合わせて接着してもよいが、接着しないで、球根等を入れて、切断しなかった小容器４に隣合わせて並べて土で覆って使用してもよい。
【００１８】
上記の使用方法は、一般園芸愛好家が、容器１を購入し、球根等を小容器に入れて使用する方法であるが、業者が開花期の花の色や背丈等を考えて、球根を小容器に入れ、それらと内壁の間に土を入れるか、または、入れないで、全体を包装して販売してもよい。その場合には、一般の園芸愛好家が前記の包装したものを購入し、包装から容器１を取り出し、それを植木鉢やプランターとに入れて土を被せるか、または花壇に埋め、灌水して育成すればよい。
【００１９】
容器１は平面視八角形であるが、平面視正方形、矩形、円形等の形状のものでもよい。その略図を図５に示す。平面視円形のものは、（Ｃ）では外周部に位置する小容器７は、円形外周に位置する部分は弧状を形成する。
（Ｄ）に示すものは、中央に角型の小容器８を配し、その周囲に小容器７を配して、全体を平面視円形としたものである。角型の小容器８の代わりに、円形の小容器としてもよい。
【００２０】
図６乃至図８に示す容器１１は、図１乃至図３に示す容器１の小容器３、４の底部を分割するための低い突条を設け、小容器３には更に底部の中心に突部を設けたものである。    
【００２１】
すなわち、容器１１は、小容器３に対応する小容器１３と、小容器４に対応する小容器１４を、隣合わせる側部間を、連続的または断続的に、薄い厚みの連結部１５で連結している。小容器１３、１４の隣合わせる側部間は、連結部１５の箇所を除いて、小間隙１６を形成する。
そして、小容器１３では、底部の対角線上に低い突条１７を設けて、小容器１３の底部を４つに分割する。
そして、分割された各部分の底部に植物の根の伸長用兼排水用の穴１２を設ける。
この突条１７は、小容器に入れた球根等が片寄り集まらないように、すなわち、球根等の配置が安定するように、するためのものである。
突条１７は、小容器の底部に対角線上に設けることに限定するものではなく、他の位置に設けてもよい。
【００２２】
小容器１４では、平面視正三角形状の底部に、頂点と底辺の中心とを結ぶ線上に、突条１７を設けて底部を２つに分割する。そして分割した各部分の底部に植物の根の伸長用兼排水用の穴１２を設ける。
更に、小容器１３においては、その底部中心に、突条１７よりも高さが高く、小容器１３の上方開口縁の高さと同じか、または、それよりも低い突部１８を設ける。この突部１８は、小容器１３に入れた複数の球根等が片寄り接触しないようにするためのものである。
この突部１８は省略してもよい。
【００２３】
この容器１１は、小容器１３、１４の突条１７によって分割された底部の部分毎に、球根等を入れ、その容器１１を植木鉢、プランター等に入れ、または、花壇に埋め、容器１１の上から球根や苗の根元が隠れるように土を被せ、灌水して育成する。
【００２４】
容器１１は、先の実施の形態の容器と同様に、連結部１５を切断して、一部の小容器１３、１４を分割分離し、植木鉢、プランターの形状や花壇のスペースに合わせて、分離したものの一部を使用し、または、分離したものの一部を寄せ集めて形を変えて使用することができる。
【００２５】
容器１１は、平面視が八角形であるが、先の実施の形態と同様に、円形や矩形であってもよい。
【図面の簡単な説明】
【００２６】
【図１】容器の平面図である。
【図２】容器の斜視図である。
【図３】容器のＡ−Ａ断面図である。
【図４】容器の一部小容器を分離し、分離した小容器を分離後に残った容器に接合して変形した容器の平面パターン図である。
【図５】（Ａ）  平面視正方形の容器のパターン図である。          （Ｂ）  平面視矩形の容器のパターン図である。          （Ｃ）  平面視円形の容器のパターン図である。          （Ｄ）  平面視円形の他の容器のパターン図である。
【図６】他の実施の形態の容器の平面図である。
【図７】他の実施の形態の容器の斜視図である。
【図８】他の実施の形態の容器のＢ−Ｂ断面図である。
【符号の説明】
【００２７】
１    容器
２    植物の根の伸長用兼排水用穴
３    小容器
４    小容器
５    連結部
６    小間隙
７    小容器
８    小容器
１１  容器                                                                      １２  排水口
１３  小容器
１４  小容器
１５  連結部
１６  小間隙
１７  突条
１８  突部
【図１】
0003136386.tif 000003
【図２】
0003136386.tif 000004
【図３】
0003136386.tif 000005
【図４】
0003136386.tif 000006
【図５】
0003136386.tif 000007
【図６】
0003136386.tif 000008
【図７】
0003136386.tif 000009
【図８】
0003136386.tif 000010